(57)【特許請求の範囲】
【請求項１】
四隅に柱を有する複数の建物ユニットを水平方向に隣接配置し、該隣接配置された建物ユニットの隣接する柱の上部間に連結プレートを掛け渡すと共に上記各柱の上部及び上記連結プレートに嵌合体を嵌合して連結する建物ユニットの連結構造であって、
上記各柱は管状を呈し、
上記連結プレートには上記隣接する各柱上部に対応させる開口が所定の位置に設けられ、
上記嵌合体には上記柱上部の内側に遊嵌され拡径することにより該柱上部に内側から嵌合する柱上嵌合部と、該柱上嵌合部の拡径に伴って拡径し遊嵌されている上記開口に内側から嵌合する位置調整嵌合部と、が設けられて、
上記各開口を上記各柱上部に対応させた状態で上記連結プレートを該各柱上部に載置し、複数の上記嵌合体の各柱上嵌合部を上記各柱上部の内側に遊嵌して該各嵌合体の柱上嵌合部を拡径させたときに、
上記各柱上嵌合部が上記各柱上部に内側から嵌合すると共に上記位置調整嵌合部が拡径して上記各開口に内側から嵌合することにより、上記各柱上部が上記連結プレートを介して互いに連結されると共に該位置調整嵌合部の拡径に伴い上記各柱間の位置が調整されることを特徴とする建物ユニットの連結構造。
【請求項２】
上記嵌合体に、上階の建物ユニットの柱の下部に嵌合する柱下嵌合部が設けられていることを特徴とする請求項１に記載の建物ユニットの連結構造。
【請求項３】
上記水平方向に隣接配置されたそれぞれの柱の上部又は上部近傍にピンが設けられ、上記連結プレートに上記ピンの挿通孔が所定の位置に設けられていることを特徴とする請求項１又は２に記載の建物ユニットの連結構造。
【請求項４】
上階の建物ユニットの柱の下部又は下部近傍に上記ピンの案内孔が設けられていることを特徴とする請求項３に記載の建物ユニットの連結構造。
【発明の詳細な説明】
【０００１】
【発明の属する技術分野】
この発明は、ユニット建物の建築における建物ユニットの連結構造に関するものである。
【０００２】
【従来の技術】
従来、ユニット建物の建築におけるこの種の建物ユニットの連結構造としては、特公平３−２９９３３号公報や実用新案登録第２５６２７１７号公報に記載されている技術が知られている。
【０００３】
特公平３−２９９３３号公報の技術は、四隅に柱を有する建物ユニットの複数を隣接配置し、その水平方向に隣接配置された建物ユニットの柱の上部間を連結プレートとガイドピンとボルトで連結するものである。水平方向に隣接配置された柱の上部のそれぞれにガイドピンを螺着し、所定の位置に挿通孔を有する連結プレートを上記ガイドピンに挿通させるとともに上記柱の上部間に掛け渡し、連結プレートを柱の上部にボルトで締結固定している。すなわち、連結プレートの挿通孔に円錐状の案内部を有するガイドピンの案内部を入れて連結プレートを柱の上部に当接するまで押し下げることにより、水平方向に隣接配置される柱間の距離を調整していた。そして、位置調整ができたら、ガイドピンを外し、この連結プレートの挿通孔を利用してボルトを柱の上部に螺着して締結している。
【０００４】
また、実用新案登録第２５６２７１７号公報には、水平方向に隣接配置された建物ユニット間を連結プレートとねじ釘で固定し、更に上階の建物ユニットを上記連結プレートを用いて位置調整している。すなわち、上記連結プレートにガイドピンを設け、このガイドピンに上階の建物ユニットの下部に設けた位置決め金物を挿通している。
【０００５】
【発明が解決しようとする課題】
しかしながら、上記特公平３−２９９３３号公報における水平方向に隣接配置された建物ユニットの柱の上部間を連結プレートとガイドピンとボルトで連結する技術は、その柱間の位置調整を、連結プレートの挿通孔にガイドピンの案内部を入れて連結プレートを柱の上部に当接するまで押し下げることにより行なっていたから、柱間の位置がずれている場合など、この連結プレートの押し下げに大きな力を必要とし、大きな金槌などで連結プレートを叩いて押し下げていた。このため、連結プレートが変形してしまい、結局位置精度が正確に出せないなどの問題があった。また、位置調整後にガイドピンを外して、その連結プレートの挿通孔を利用してボルトで締結していたから、どうしてもボルトと挿通孔の間には隙間が空いてしまい、ボルトの締結が十分でない場合には連結強度が不十分になったり、その隙間の範囲で位置がずれてしまう問題があった。
【０００６】
また、実用新案登録第２５６２７１７号公報の技術では、連結プレートにガイドピンを設け、このガイドピンに上階の建物ユニットの下部に設けた位置決め金物を挿通して位置決めしていたから、連結プレートへのガイドピンの固定が十分にできず、上階の建物ユニットを設置するときに、上記ガイドピンに上階の建物ユニットの所定の部位以外の部分が接触してしまうと、このガイドピンが変形してしまい、結局、正確な位置調整ができない問題があった。
【０００７】
そこで、本発明の目的は、上記の問題点を解消し、位置調整が正確にでき、位置ずれもしない建物ユニットの連結構造を提供することにある。
【０００８】
【課題を解決するための手段】
請求項１記載の本発明は、四隅に柱を有する複数の建物ユニットを水平方向に隣接配置し、該隣接配置された建物ユニットの隣接する柱の上部間に連結プレートを掛け渡すと共に上記各柱の上部及び上記連結プレートに嵌合体を嵌合して連結する建物ユニットの連結構造であって、上記各柱は管状を呈し、上記連結プレートには上記隣接する各柱上部に対応させる開口が所定の位置に設けられ、上記嵌合体には上記柱上部の内側に遊嵌され拡径することにより該柱上部に内側から嵌合する柱上嵌合部と、該柱上嵌合部の拡径に伴って拡径し遊嵌されている上記開口に内側から嵌合する位置調整嵌合部と、が設けられて、上記各開口を上記各柱上部に対応させた状態で上記連結プレートを該各柱上部に載置し、複数の上記嵌合体の各柱上嵌合部を上記各柱上部の内側に遊嵌して該各嵌合体の柱上嵌合部を拡径させたときに、上記各柱上嵌合部が上記各柱上部に内側から嵌合すると共に上記位置調整嵌合部が拡径して上記各開口に内側から嵌合することにより、上記各柱上部が上記連結プレートを介して互いに連結されると共に該位置調整嵌合部の拡径に伴い上記各柱間の位置が調整されることを特徴とする建物ユニットの連結構造である。
【００１０】
請求項２記載の本発明は、上記嵌合体に、上階の建物ユニットの柱の下部に嵌合する柱下嵌合部が設けられていることを特徴とする請求項１に記載の建物ユニットの連結構造である。
【００１１】
請求項３記載の本発明は、上記水平方向に隣接配置されたそれぞれの柱の上部又は上部近傍にピンが設けられ、上記連結プレートに上記ピンの挿通孔が所定の位置に設けられていることを特徴とする請求項１又は２に記載の建物ユニットの連結構造である。
【００１２】
請求項４記載の本発明は、上階の建物ユニットの柱の下部又は下部近傍に上記ピンの案内孔が設けられていることを特徴とする請求項３記載の建物ユニットの連結構造である。
【００１４】
上記本発明において嵌合体とは、建物ユニットの柱の上部と連結プレートとに嵌合するものであり、柱上嵌合部と位置調整嵌合部とを有している。位置調整嵌合部は連結プレートの開口に拡径して嵌合する。また、嵌合体には、上階の建物ユニットの柱の下部と嵌合する柱下嵌合部を有していてもよい。
【００１５】
【作用】
請求項１記載の本発明の建物ユニットの連結構造は、水平方向に隣接配置された建物ユニットの柱の上部間に連結プレートを掛け渡すとともにそれぞれの柱の上部及び連結プレートに嵌合体を嵌合して連結するものであって、上記連結プレートには上記水平方向に隣接配置されたそれぞれの柱の上部に対応する開口が所定の位置に設けられ、嵌合体には柱上嵌合部と上記連結プレートの開口に拡径して嵌合する位置調整嵌合部とが設けられているから、それぞれの柱の上部に嵌合体の柱上嵌合部が嵌合し、連結プレートのそれぞれの開口に嵌合体の位置調整嵌合部が拡径して嵌合してそれぞれの柱の上部を連結するとともにこの拡径によりそれぞれの柱間の位置を調整する。位置調整して連結された柱の上部は連結プレートの開口に位置調整嵌合部が嵌合しているので、ずれることがなく、位置が正確である。
【００１６】
また、上記嵌合体の柱上嵌合部が拡径して柱の上部に嵌合するものであるから、柱の上部へ挿入してから拡径して嵌合できて嵌合操作が容易になり、その拡径に際して柱の上部間の位置調整もできる。
【００１７】
請求項３記載の本発明の建物ユニットの連結構造は、上記嵌合体に、上階の建物ユニットの柱の下部に嵌合する柱下嵌合部が設けられているから、水平方向に隣接配置された柱の上部間の連結に加えて、この柱下嵌合部によって上階の建物ユニットの柱の下部も連結することができる。
【００１８】
請求項４記載の本発明の建物ユニットの連結構造は、上記水平方向に隣接配置されたそれぞれの柱の上部又は上部近傍にピンが設けられ、上記連結プレートに上記ピンの挿通孔が所定の位置に設けられているから、連結プレートがこのピンによって位置決めされるとともに上記拡径して嵌合する位置調整嵌合部によって位置調整されて嵌合されるから、柱の上部間がより確実に位置調整されるとともにずれることもなく正確に連結される。
【００１９】
請求項５記載の本発明の建物ユニットの連結構造は、上階の建物ユニットの柱の下部又は下部近傍に上記ピンの案内孔が設けられているから、このピンによって上階の建物ユニットの柱の下部も正確に位置決めすることができる。
【００２１】
【発明の実施の形態】
以下、本発明の実施の形態について図面を参照しながら詳細に説明する。
図１は本発明の実施例である建物ユニットの連結構造を説明する斜視図、図２から図５は本発明に用いる連結プレートの平面図、図６は本発明に用いる嵌合体の斜視図である。図７は本発明の実施例である建物ユニットの連結構造の縦断面図、図８は本発明の実施例である建物ユニットの連結構造を説明する横断面図である。図９、図１０は本発明の建物ユニットの連結構造の施工手順を説明する平面図、図１１は図図１０のＡ−Ａ線の断面図である。
【００２２】
図１に示すように、四隅に柱１１を有する箱形状の建物ユニット１、１…の９個とバルコニーユニット１Ｂとを左右上下に隣接配置してユニット建物を建築する。この時、連結プレート２１、２２、２３、２４と嵌合体３とを用いて建物ユニット１、１…を連結するのである。連結プレート２１は上下の建物ユニット１、１の連結にのみ用いる。
【００２３】
建物ユニット１は、その四隅のステンレス鋼製の柱１１の上下にそれぞれステンレス鋼製の上梁１２と下梁１３とが溶接されて建物ユニット構造体が形成されている。これらの上梁１２を含む天井パネル１２１、下梁１３を含む床パネル１３１、両者の間に設けられた壁パネル１４１で囲われ、箱形状になっている。
【００２４】
建物ユニット１の柱１１は、丸鋼管からなり、図７に示すように、その上端には内方にリング状に突出する上嵌合突条１１１が設けられている。柱１１の下端には同様に下嵌合突条１１２が設けられている。
【００２５】
この四隅に柱１１を有する建物ユニット１、１を、図１に示すように、水平方向に隣接配置し、その水平方向に隣接配置された建物ユニット１、１の柱１１、１１の上部間にステンレス鋼からなる連結プレート２２、２３、２４を掛け渡すのである。そして、それぞれの柱１１の上部及び連結プレート２２、２３、２４に嵌合体３を嵌合して、図７に示すように、連結するのである。
【００２６】
上記連結プレート２２は、水平方向に隣接する２個の柱１１、１１間を連結するものであり、図２にも示すように、２個の円形の開口２２１、２２１を有している。この開口２２１、２２１は、上記水平方向に隣接配置されたそれぞれの柱１１、１１の上部に対応するものであり、上記柱１１、１１を所定の位置に設定するために、連結プレート２２の所定の位置に設けられている。連結プレート２２の下面の開口２２１、２２１の周囲にはそれぞれ３個のガイド片２２２、２２２、２２２が開口２２１を三方から取り囲むように設けられている。また、連結プレート２２の二つの隅角部にはピンの挿通孔２２３、２２３が設けられている。連結プレート２２の中央の側部には配線、配管などを挿通できるように三角形の切欠き２２４が設けられている。
【００２７】
連結プレート２３は、水平方向に隣接する３個の柱１１、１１、１１間を連結するものであり、図３にも示すように、３個の円形の開口２３１、２３１、２３１を有している。この開口２３１、２３１、２３１は、上記と同様に、上記水平方向に隣接配置されたそれぞれの柱１１、１１、１１の上部に対応するものであり、上記柱１１、１１、１１を所定の位置に設定するために、連結プレート２３の所定の位置に設けられている。連結プレート２３の下面の開口２３１、２３１、２３１の周囲にはそれぞれ３個のガイド片２３２、２３２、２３２が開口２３１を三方から取り囲むように設けられている。また、連結プレート２３の三つの隅角部にはピンの挿通孔２３３、２３３、２３３が設けられている。連結プレート２３の中央の入隅角部には配線、配管などを挿通できるように四角形の切欠き２３４が設けられている。
【００２８】
連結プレート２４は、水平方向に隣接する４個の柱１１、１１…間を連結するものであり、図４にも示すように、４個の円形の開口２４１、２４１…を有している。この開口２４１、２４１…は、上記水平方向に隣接配置されたそれぞれの柱１１、１１…の上部に対応するものであり、上記柱１１、１１…を所定の位置に設定するために、連結プレート２４の所定の位置に設けられている。連結プレート２４の下面の開口２４１、２４１…の周囲にはそれぞれ３個のガイド片２４２、２４２、２４２が開口２４１を三方から取り囲むように設けられている。また、連結プレート２４の各隅角部にはピンの挿通孔２４３、２４３…が設けられている。連結プレート２４の中央部には配線、配管などを挿通できるように四角形の開口孔２４４が設けられている。
【００２９】
連結プレート２１は、上下に隣接する２個の柱１１、１１間を連結するのに用いるものであり、図５にも示すように、円形の開口２１１を有している。この開口２１１は、柱１１の上部に対応するものである。連結プレート２１の下面の開口２１１の周囲にはそれぞれ３個のガイド片２１２、２１２、２１２が開口２１１を三方から取り囲むように設けられている。また、連結プレート２１の一つの隅角部にはピンの挿通孔２１３が設けられている。連結プレート２１の他方の隅角部には配線などを挿通できるように切欠き２１４が設けられている。
【００３０】
嵌合体３は、ステンレス鋼からなり、図６、図７、図８に示すように、円盤状の形状になっており、周囲に配置された柱上嵌合部３１と位置調整嵌合部３２と柱下嵌合部３３と、中央部に配置された駆動機構３４とを有している。これらの柱上嵌合部３１、位置調整嵌合部３２、柱下嵌合部３３はそれぞれ縦に３分割されており、駆動機構３４によってそれぞれが外方に拡径するように移動できるようになっている。駆動機構３４は連結駆動片３４１、３４１、３４１とボルト３４２とナット３４３とワッシャ３４４、３４５とからなっている。下方の連結駆動片３４１の下部とワッシャ３４５とナット３４３とは溶接により固定されている。縦に３分割された柱上嵌合部３１、位置調整嵌合部３２、柱下嵌合部３３のそれぞれが駆動片３４、３４、３４に溶接により連結されている。
【００３１】
嵌合体３は、その駆動機構３４のボルト３４２を回転することによって、図７の右側の嵌合体３のように、ナット３４３がボルト頭側に近づいて連結駆動片３４１が更に屈曲されて外方に突出して各嵌合部３１、３２、３３を外方に拡径するように押出すのである。
【００３２】
そうすると、柱上嵌合部３１は、柱１１の上部の上嵌合突条１１１に嵌合する。位置調整嵌合部３２は、連結プレート２２の開口２２１に嵌合する。柱下嵌合部３３は、上階の建物ユニット１の柱１１の下部の下嵌合突条１１２に嵌合する。この時、位置調整嵌合部３２は、図８の右側の嵌合体３のように、連結プレート２２の開口２２１に拡径してぴったりと嵌合する。このように、水平方向に隣接する建物ユニット１、１の柱１１、１１の上部の連結プレート２２の各開口２２１、２２１に各位置調整嵌合部３２、３２が拡径して嵌合することにより、柱１１、１１を所定の間隔に位置調整する。
【００３３】
建物ユニット１の柱１１の上部近傍には、図９〜図１１に示すように、ピン１５が設けられている。柱１１の上部に溶接により設けられた梁連結片１１３にナット１１４が溶接により取り付けられ、このナット１１４にピン１５が螺着されている。このピン１５と連結プレート２２、２３、２４により、更に正確に位置調整することができる。
【００３４】
次に、この建物ユニットの連結構造をその施工手順とともに説明する。
図１に示すように、建物ユニット１、１…を水平方向に隣接配置する。図９に示すように、隣接配置された建物ユニット１の隅角部の柱１１の上部近傍においてそのナット１１４にピン１５を螺着することにより設置する。それから、図１０に示すように、連結プレート２４を設置する。連結プレート２４の挿通孔２４３、２４３…にピン１５、１５…を挿通するとともに、連結プレート２４の下面のガイド片２４２、２４２…を柱１１の上部の外側に嵌合する。ガイド片２４２にも下方に案内テーパが設けられているので、柱１１の上部を位置調整して案内しながら嵌合できるのである。このことにより、水平方向に隣接配置された各柱１１、１１…は略所定の位置に位置調整される。
【００３５】
他の連結プレート２１、２２、２３も同様にして図１に示すように建物ユニット１の柱１１の上部に設置する。
【００３６】
それから、図８の左側に示すように、連結プレート２２の開口２２１の内側で柱１１の上部に嵌合体３を設置する。他の連結プレート２１、２３、２４及び柱１１についても同様に嵌合体３を設置する。
【００３７】
ピン１５、連結プレート２１、２２、２３、２４、嵌合体３の設置ができたら、上階の建物ユニット１、１…及びバルコニーユニット１Ｂを下階の建物ユニット１、１…の上に設置する。この時、ピン１５が突出しているから、このピン１５を、図１１に示すように、上階の建物ユニット１の柱１１の下部近傍の案内孔１６に嵌合させる。この時、ピン１５がナット１１４と連結プレート２４の挿通孔２４３によってしっかり固定されているから、上階の建物ユニット１を確実に案内することができる。バルコニーユニット１Ｂについてもその隅角部の案内孔にピン１５を挿入する。そうすると、上階の建物ユニット１、１…及びバルコニーユニット１Ｂも略所定の位置に設置される。
【００３８】
上階の建物ユニット１、１…が下階の建物ユニット１、１…の上に設置できたら、上階の建物ユニット１、１…の柱１１の上方から柱内に回転工具を挿入して、嵌合体３のボルト３４２を回転させて、図７の右側の嵌合体３のように、各柱上嵌合部３１、位置調整嵌合部３２、柱下嵌合部３３を拡径して嵌合させ、連結固定するのである。そうすると、上下の柱１１、１１は、柱下嵌合部３３と柱上嵌合部３１により強固に連結固定される。水平方向に隣接する柱１１、１１は位置調整嵌合部３２が、連結プレート２２などの開口２２１などにきっちりと嵌合することにより、位置調整され、所定の位置に連結固定される。したがって、柱１１、１１の位置がずれることなく、正確である。
【００３９】
バルコニーユニット１Ｂについても、同様にして回転工具で嵌合体３のボルト３４２を回転して連結固定すると、同様に正確に位置調整できるとともにずれることもない。
【００４０】
この建物ユニット１、１…の連結構造は、上記嵌合体３の柱上嵌合部３１が拡径してその柱１１の上部に嵌合するものであるから、柱１１の上部へ挿入してから拡径して嵌合できて嵌合操作が容易になり、その拡径に際して柱１１の上部間の位置調整もできる。
【００４１】
この建物ユニット１、１…の連結構造は、上記嵌合体３に、上階の建物ユニット１の柱１１の下部に嵌合する柱下嵌合部３３が設けられているから、水平方向に隣接配置された柱１１、１１の上部間の連結に加えて、この柱下嵌合部３３によって上階の建物ユニット１の柱１１の下部も連結することができる。
【００４２】
この建物ユニット１、１…の連結構造は、上記水平方向に隣接配置されたそれぞれの柱１１、１１…の上部にピン１５、１５…が設けられ、上記連結プレート２２、２３、２４に上記ピンの挿通孔２２３、２３３、２４３が所定の位置に設けられているから、連結プレート２２、２３、２４がこのピン１５、１５…よって位置決めされるとともに上記拡径して嵌合する位置調整嵌合部３２によって位置調整されて嵌合されるから、柱１１、１１の上部間がより確実に位置調整されるとともにずれることもなく正確に連結される。
【００４３】
この建物ユニット１、１…の連結構造は、上階の建物ユニット１の柱１１の下部に上記ピンの案内孔１６が設けられているから、このピン１５によって上階の建物ユニット１の柱１１の下部も正確に位置決めすることができる。
【００４４】
この建物ユニットの連結プレート２２、２３、２４は、水平方向に隣接配置された建物ユニット１、１…の柱１１の上部間に対応する開口２２１、２３１、２４１が所定の位置に設けられ、上記水平方向に隣接配置されたそれぞれの柱１１、１１…の上部近傍に設けられたピン１５、１５…を通す挿通孔２２３、２３３、２４３が所定の位置に設けられているから、上記嵌合体３とピン１５とによって水平方向に隣接配置される建物ユニット１、１の柱１１、１１…の上部間を正確に位置ずれもしないで連結することができる。
【００４５】
以上、本発明の実施例を説明したが、本発明は上記実施例に限定されるものではなく、本発明の要旨を逸脱しない範囲の設計変更等があっても本発明に含まれる。例えば、建物ユニット１の四隅の柱１１は角鋼管であってもよい。嵌合体３の駆動機構３４は、図１２に示すように、（ａ）リンク３４６により拡径するもの、（ｂ）くさび嵌合体３４７により拡径するもの、（ｃ）テーパねじ３４８により拡径するもの、（ｄ）傘歯車３４９により拡径するもの等であってもよい。また、バルコニーユニット１Ｂに代えて屋根ユニットを建物ユニット１の上部に設置してもよい。連結プレートのガイド片はなくてもよい。
【００４６】
【発明の効果】
請求項１記載の本発明の建物ユニットの連結構造は、上記連結プレートに水平方向に隣接配置された柱の上部に対応する開口が所定の位置に設けられ、嵌合体に柱上嵌合部と上記連結プレートの開口に拡径して嵌合する位置調整嵌合部とが設けられているから、それぞれの柱の上部に嵌合体の柱上嵌合部が嵌合し、連結プレートの各開口に嵌合体の位置調整嵌合部が拡径して嵌合して、それぞれの柱の上部を正確に位置調整するとともに連結し、位置ずれすることがない。
【００４７】
請求項２記載の本発明の建物ユニットの連結構造は、上記嵌合体の柱上嵌合部が拡径して柱の上部に嵌合するものであるから、更に嵌合操作が容易になり、その拡径に際して柱の上部間の位置調整ができる。
【００４８】
請求項３記載の本発明の建物ユニットの連結構造は、上記嵌合体に、上階の建物ユニットの柱の下部に嵌合する柱下嵌合部が設けられているから、水平方向に隣接配置された柱の上部間の連結に加えて、この柱下嵌合部によって上階の建物ユニットの柱の下部も連結することができる。
【００４９】
請求項４記載の本発明の建物ユニットの連結構造は、上記水平方向に隣接配置された柱の上部又は上部近傍にピンが設けられ、上記連結プレートに上記ピンの挿通孔が所定の位置に設けられているから、柱の上部間がより確実に位置調整されるとともにずれることもなく正確に連結される。
【００５０】
請求項５記載の本発明の建物ユニットの連結構造は、上階の建物ユニットの柱の下部又は下部近傍に上記ピンの案内孔が設けられているから、このピンによって上階の建物ユニットの柱の下部も正確に位置決めすることができる。
【００５１】
請求項６記載の本発明の建物ユニットの連結プレートは、水平方向に隣接配置された建物ユニットの柱の上部間に対応する開口が所定の位置に設けられ、柱の上部又は上部近傍に設けられたピンを通す挿通孔が所定の位置に設けられているから、上記嵌合体とピンとによって、水平方向に隣接配置される建物ユニットの柱の上部間を正確に位置ずれせずに連結することができる。
【図面の簡単な説明】
【図１】本発明の実施例である建物ユニットの連結構造を説明する斜視図である。
【図２】本発明に用いる連結プレートの平面図である。
【図３】本発明に用いる連結プレートの平面図である。
【図４】本発明に用いる連結プレートの平面図である。
【図５】本発明に用いる連結プレートの平面図である。
【図６】本発明に用いる嵌合体の斜視図である。
【図７】本発明の実施例である建物ユニットの連結構造の縦断面図である。
【図８】本発明の実施例である建物ユニットの連結構造を説明する横断面図である。
【図９】本発明の建物ユニットの連結構造の施工手順を説明する平面図である。
【図１０】本発明の建物ユニットの連結構造の施工手順（連結プレートの設置）を説明する平面図である。
【図１１】図１０のＡ−Ａ線の断面図である。
【図１２】本発明に用いる嵌合体の他の実施例を示す断面図である。
【符号の説明】
１    建物ユニット
１１    柱
１５    ピン
１６    案内孔
２１、２２、２３、２４    連結プレート
２１１、２２１、２３１、２４１    開口
２１２、２２２、２３２、２４２    ガイド片
２１３、２２３、２３３、２４３    挿通孔
３    嵌合体
３１    柱上嵌合部
３２    位置調整嵌合部
３３    柱下嵌合部
３４    駆動機構
３４１    連結駆動片
３４２    ボルト
３４３    ナット
【図１】
0004160699.tif 000002
【図２】
0004160699.tif 000003
【図３】
0004160699.tif 000004
【図４】
0004160699.tif 000005
【図５】
0004160699.tif 000006
【図６】
0004160699.tif 000007
【図７】
0004160699.tif 000008
【図８】
0004160699.tif 000009
【図９】
0004160699.tif 000010
【図１０】
0004160699.tif 000011
【図１１】
0004160699.tif 000012
【図１２】
0004160699.tif 000013